(57)【要約】【課題】従来の固定式のルアー仕掛けの利点と、遊動式のルアー仕掛けの利点を有するルアー仕掛けを提供する。【解決手段】釣糸１１の下部に固定されるルアー本体部１７と、ルアー本体部１７に設けられた釣針１８、１９と、釣糸１１に装着され、ルアー本体部１７を沈める錘１５とを有するルアー仕掛け１０において、錘１５には釣糸１１が通る挿通孔２２が設けられ、使用にあっては挿通孔２２に装着され、釣糸１１が挿通する中孔３０を有する仮固定部材１６を備え、錘１５の挿通孔２２に仮固定部材１６を装着して釣糸１１と錘１５の固定を行う。【選択図】図１
2014217289.tif 000002
【特許請求の範囲】
【請求項１】
釣糸の下部に固定されるルアー本体部と、該ルアー本体部に設けられた釣針と、前記釣糸に装着され、前記ルアー本体部を沈める錘とを有するルアー仕掛けにおいて、
前記錘には前記釣糸が通る挿通孔が設けられ、使用にあっては該挿通孔に装着されて、前記釣糸が挿通する中孔を有する仮固定部材を備え、前記錘の挿通孔に前記仮固定部材を装着して前記釣糸と前記錘の固定を行うことを特徴とするルアー仕掛け。
【請求項２】
請求項１記載のルアー仕掛けにおいて、前記仮固定部材は弾力性を有する管状のテーパー栓からなり、前記錘の挿通孔には、前記テーパー栓が所定位置まで締結固定状態で嵌入するテーパー孔部が設けられていることを特徴とするルアー仕掛け。
【請求項３】
請求項２記載のルアー仕掛けにおいて、前記テーパー栓には複数の円周溝が形成されていることを特徴とするルアー仕掛け。
【請求項４】
請求項１〜３のいずれか１項に記載のルアー仕掛けにおいて、前記釣糸は、道糸と該道糸にサルカンを介して接続されるハリスとを有し、該ハリスに前記錘が仮固定され、該ハリスの先端に前記釣針が固定されていることを特徴とするルアー仕掛け。
【請求項５】
請求項１〜４のいずれか１項に記載のルアー仕掛けにおいて、前記ルアー本体部は、複数の紐状片とテープ片とを有して形成されていることを特徴とするルアー仕掛け。
【発明の詳細な説明】
【技術分野】
【０００１】
本発明は、例えば、真鯛、カサゴ等の根魚を釣るのに適したルアー仕掛け（別名、鯛カブラ、鯛ラバと称される）に関する。
【背景技術】
【０００２】
鯛カブラは長崎県や徳島県の漁業から発生した真鯛釣りの伝統漁法に使われ、鉛玉（ヘッド）に数センチ程度のハリス（釣糸）を介して釣針を設け、この釣針に真鯛の餌（例えば、エビ）を付けて真鯛を釣る漁具である。そして、近年においては、特許文献１に示すように、餌の代わりにビニール片やラバー片が用いられたルアー式のもの（以下、ルアー仕掛けという）が販売されている。
【０００３】
図５（Ａ）に、従来例に係る固定式のルアー仕掛け６０を示すが、ルアー仕掛け６０は、それぞれ複数のラバー片６１及びビニール片６２（これらをルアー本体部６０ａという）を有し、このルアー本体部６０ａと、釣糸の下部であるハリス６３、６４の基部とを一つに纏めて、錘６５に連結し、ハリス６３、６４の尾部（先端部）に釣針６８、６９（以下、「フック部」ともいう）を設けて構成されている。錘６５には連結金具（例えば、サルカン）７０が設けられ、道糸（下部を除く釣糸）７１の下端部が連結されている（以上の仕掛けを固定式と称する）。
【０００４】
また、図５（Ｂ）に示すように、ルアー本体部６０ａが下端に設けられた道糸７１に沿って錘７２が自由に移動できる錘遊動式（単に「遊動式」という）のルアー仕掛け７４も一般に知られている。
【先行技術文献】
【特許文献】
【０００５】
【特許文献１】特開２００８−３５７７４号公報
【発明の概要】
【発明が解決しようとする課題】
【０００６】
しかしながら、以上の固定式のルアー仕掛け６０では、仕掛けを沈める場合に、１）フック部と錘６５に取付けられたルアー本体部６０ａとは一緒に沈むので、魚にとって違和感があり、喰らい付き難い、２）フック部に錘６５が設けられているのでフック部の動きが悪く、魚が首を振ることによってフック部が魚の口から外れ易いという問題がある。
また、以上に説明した遊動式のルアー仕掛け７４は、１）ルアー本体部６０ａと錘７２が離れているので、ルアー仕掛け７４が底に付いたのを捕らえ難い、２）ルアー本体部６０ａと錘７２が離れているので、魚の喰らい付き（魚信）を明確に捕らえ難い、３）錘７２は底に届くがルアー本体部６０ａの動きが遅れるので、所定の深さ、底を捕らえ難い等の問題がある。
【０００７】
本発明はかかる事情に鑑みてなされたもので、ルアー仕掛けを沈めている場合は、ルアー本体部と錘を同時に沈め、魚が釣針に掛かった場合には錘がルアー本体部から簡単に離れて、バラシが発生し難いルアー仕掛けを提供することを目的とする。
【課題を解決するための手段】
【０００８】
前記目的に沿う第１の発明に係るルアー仕掛けは、釣糸の下部に固定されるルアー本体部と、該ルアー本体部に設けられた釣針と、前記釣糸に装着され、前記ルアー本体部を沈める錘とを有するルアー仕掛けにおいて、
前記錘には前記釣糸が通る挿通孔が設けられ、使用にあっては該挿通孔に装着されて、前記釣糸が挿通する中孔を有する仮固定部材を備え、前記錘の挿通孔に前記仮固定部材を装着して前記釣糸と前記錘の固定を行う。
【０００９】
第２の発明に係るルアー仕掛けは、第１の発明に係るルアー仕掛けにおいて、前記仮固定部材は弾力性を有する管状のテーパー栓からなり、前記錘の挿通孔には、前記テーパー栓が所定位置まで締結固定状態で嵌入するテーパー孔部が設けられている。
【００１０】
第３の発明に係るルアー仕掛けは、第２の発明に係るルアー仕掛けにおいて、前記テーパー栓には複数の円周溝が形成されている。
【００１１】
第４の発明に係るルアー仕掛けは、第１〜第３の発明に係るルアー仕掛けにおいて、前記釣糸は、道糸と該道糸にサルカン（縒り戻し金具）を介して接続されるハリス（釣針装着用の道糸、透明樹脂線、縒り紐状のものを含む）とを有し、該ハリスに前記錘が仮固定され、該ハリスの先端に前記釣針が固定されている。
【００１２】
そして、第５の発明に係るルアー仕掛けは、第１〜第４の発明に係るルアー仕掛けにおいて、前記ルアー本体部は、複数の紐状片とテープ片とを有して形成される。
【発明の効果】
【００１３】
本発明に係るルアー仕掛けにおいては、錘に釣糸が通る挿通孔が設けられ、使用にあっては挿通孔に装着されて、釣糸が挿通する中孔を有する仮固定部材を備え、錘の挿通孔に仮固定部材を装着して釣糸と錘の固定を行うので、魚が針掛かりして釣針の部分に首振り等でショック荷重が掛かると、錘から仮固定部材が外れ、錘が釣糸に対して自由状態となり、魚から釣針が外れにくくなる。
更に、釣針に無理な荷重が掛からないので、より細身の釣針を使用できる。
【００１４】
特に、本発明に係るルアー仕掛けにおいて、仮固定部材が弾力性を有する管状のテーパー栓からなり、錘の挿通孔には、テーパー栓が所定位置まで締結固定状態で嵌入するテーパー孔部が設けられている場合、釣糸の途中位置（例えば、ルアー本体部と釣糸の連結部分）に錘を仮固定することができる。
【００１５】
また、本発明に係るルアー仕掛けにおいて、テーパー栓に複数の円周溝が形成されている場合、弾力性を有するテーパー栓が更に緩くテーパー孔部に嵌入でき、釣糸への錘の仮固定が容易となると共に、釣糸から錘が外れ易くもなる。
【００１６】
更に、釣糸が、道糸とこの道糸にサルカンを介して接続されるハリスとを有し、ハリスに錘が仮固定され、ハリスの先端に釣針が固定されている場合、ルアー仕掛けに縒りが掛かり難いという利点を有する。
【００１７】
そして、本発明に係るルアー仕掛けにおいて、ルアー本体部が、複数の紐状片とテープ片とを有して形成されている場合は、より魚への好奇心を煽ることができる。
【図面の簡単な説明】
【００１８】
【図１】本発明の一実施の形態に係るルアー仕掛けの斜視図である。
【図２】同ルアー仕掛けの使用状態の斜視図である。
【図３】（Ａ）〜（Ｃ）は同ルアー仕掛けの動作状態の説明図である。
【図４】同ルアー仕掛けの説明図である。
【図５】（Ａ）、（Ｂ）はそれぞれ従来例に係るルアー仕掛けの斜視図である。
【発明を実施するための形態】
【００１９】
続いて、添付した図面を参照しながら、本発明を具体化した実施の形態について説明する。
図１〜図４に示すように、本発明の一実施の形態に係るルアー仕掛け１０は、道糸１２と道糸１２にサルカン１３によって回転自在に連結されたハリス１４を有する釣糸１１を備えている。そして、ハリス１４の途中位置に配置された錘１５及び仮固定部材の一例であるテーパー栓１６と、ハリス１４の下側に配置されたルアー本体部１７と、ルアー本体部１７に隠れて配置されかつハリス１４の下端（先端）に締結された釣針１８、１９とを有している。以下、これらについて詳しく説明する。
【００２０】
ハリス１４はこの実施の形態では、極細で強度を有する材料を用いた紐状物からなっている。長尺のハリス１４が２つ折りとなって、折り目２０の部分が周知構造のサルカン１３を介して道糸１２と連結されている。２つ折りされたハリス１４は２本が一体となって、例えば、８〜１２ｃｍの長さを有し、錘１５の挿通孔２２とテーパー栓１６を通り、ルアー本体部１７の基部に固定され、更にルアー本体部１７内まで独立した２本の状態で伸びている。
【００２１】
ルアー本体部１７は周知構造となって、複数の紐状片２４とテープ片２５ａとを有し、その長さは５〜１５ｃｍ程度である。ルアー本体部１７内には２本のハリス１４が配置され、紐状片２４、テープ片２５ａと共にその基部を束ねて、一つにして形成される。ハリス１４の先部に固定された釣針１８、１９はルアー本体部１７の中に混入し、魚がルアー本体部１７に興味を示して喰らい付いた場合には、釣針１８、１９のいずれか一方又は双方が魚の口に針掛かりするようになっている。
【００２２】
錘１５はこの実施の形態では、円板状となって中央に集魚用の偏平なビーズ（有色偏平ガラス玉）２４ａを有し、挿通孔２２は図２、図３（Ａ）〜（Ｃ）に示すように、円板の厚み方向中央位置に、平面視して中央より外側に偏心して設けられている。このように挿通孔２２を偏心して設けることによって、錘１５の回転を防止している。
また、挿通孔２２は図３（Ａ）、（Ｂ）、（Ｃ）に示すように、円錐台部２５、直線部２６及びテーパー孔部２７を有している。テーパー孔部２７の長さは挿通孔２２の長さの約４０〜７０％となっている。
【００２３】
円錐台部２５はハリス１４が挿通孔２２の角に当たった場合、切れないようにするためのもので、対向する斜辺の開き角θ１が約５０〜９０度となっている。テーパー孔部２７は直線部２６との間に段２８が設けられて拡径し、対向する斜辺の開き角θ２が３〜５度となっている。錘１５の重量は例えば、５匁〜１００匁（１匁＝３．７５ｇ）の範囲で種々のものがある。
【００２４】
テーパー栓１６は管状又はテーパー管状となって、ゴム又は弾力性を有するプラスチックで形成され、テーパー孔部２７に途中位置まで抵抗なく嵌入するテーパー角及び直径を有し、中央には中孔３０が形成され、２本のハリス１４が自由に入るようになっている。
このテーパー栓１６には、周囲に複数の円周溝３１が形成され、押し込み時の反発力を小さくしていると共に、基側には幅広の円周溝３２が設けられ、テーパー孔部２７に嵌入したテーパー栓１６を抜け易くしている。
【００２５】
なお、テーパー栓１６のテーパー角はテーパー孔部２７に一致する角度である必要はなく、開き角θ２より小さい角度であるのが好ましい。また、テーパー栓１６は必ずしも外側がテーパー状である必要はなく、円筒状であってもよい。この場合、円筒状のテーパー栓の外径は、テーパー孔部２７の長さ方向１／３〜２／３の範囲にある内径と等しいのが好ましい。この場合であっても、テーパー栓１６は弾力性を有する部材で構成されているので、テーパー栓１６をテーパー孔部２７に押し込むことによって、テーパー孔部２７にテーパー栓１６が締結固定（仮固定）される。なお、テーパー栓１６の外形がテーパー状である場合は、先部の非溝部の外径がテーパー孔部２７の長さ方向１／４〜２／３の範囲にある内径と等しいのが好ましいが、本発明は、以上の数字に限定されるものではない。
【００２６】
このテーパー栓１６をテーパー孔部２７に装着し、更にテーパー栓１６をテーパー孔部２７に押し込むと、テーパー栓１６が縮径し、中孔３０が縮径してハリス１４の移動が無くなり、テーパー栓１６をテーパー孔部２７に仮固定できる構造となっている。これによって、釣糸１１、この実施の形態ではハリス１４とルアー本体部１７との接続部に、錘１５を仮固定できる構造となっている。なお、テーパー栓１６をテーパー孔部２７に押し込んだ状態で、幅広の円周溝３２がテーパー孔部２７の外位置にあるようにそれぞれのテーパー角度及び直径が決定されている。
【００２７】
このルアー仕掛け１０の使用方法及び作用について説明する。
釣糸１１の下位置にあるハリス１４に錘１５とテーパー栓１６を挿通した状態で、錘１５の挿通孔２２にテーパー栓１６を装着する。これによって、錘１５が釣糸１１の下部に仮固定される。これによって、釣針１８、１９を隠したルアー本体部１７と、錘１５が一体化される。
【００２８】
この状態で、ルアー仕掛け１０を海中に入れると、錘１５に仮固定されているルアー本体部１７が揺らぎながら海底まで沈む。途中で魚（例えば、鯛）がルアー本体部１７に喰らい付くと、魚の口に釣針１８、１９の少なくともいずれか一方が掛かる。ここで、魚が釣針１８、１９を口から外そうと口を横に振ると、錘１５が重量となって、テーパー栓１６が錘１５から外れる。テーパー栓１６が錘１５から外れると、ハリス１４の自由移動が可能となるので、釣針１８、１９は魚の口から容易に外れない。従って、バラシが少なくなる。
【００２９】
なお、実際の釣作業においては、ルアー仕掛け１０を海底近くで上下しながら、魚を誘う。錘１５は釣糸１１の所定位置に固定された状態を保持する。
更に必要に応じて、テーパー栓１６を錘１５の挿通孔２２から外して、錘１５をルアー本体部１７から離して、このルアー仕掛け１０を遊動式として使用できる。
【００３０】
従って、このルアー仕掛け１０においては、１）魚が捕食した際にはその魚信を明確に捕らえることができる、２）仕掛けを沈めているときは、仕掛けが絡み難い、３）仕掛けが底に着いた信号を確実に得ることができる、４）中間層から下層にいる魚を確実に攻めることができる、５）魚がヒットした後、錘１５と釣糸１１のロック状態が解除されるので、錘１５の大きな負荷が直接魚のヒットポイントとなる口に伝わらず、バラシが少ない、６）この後は、魚が首を振っても仕掛けのルアー本体部１７の重量が直接かからず、固定式と比べ、ワンランクシャープな釣針を使っても折れにくい等の利点がある。
【００３１】
本発明は前記した実施の形態に限定されるものではなく、本発明の要旨を変更しない範囲でその構成を変更することもできる。例えば、錘はハリスの任意の位置に固定可能であり、この場合も本発明は適用される。また、ルアー仕掛けの材料としては、種々のものを使用可能であり、本発明は使用材料に限定されるものではない。
【符号の説明】
【００３２】
１０：ルアー仕掛け、１１：釣糸、１２：道糸、１３：サルカン、１４：ハリス、１５：錘、１６：テーパー栓、１７：ルアー本体部、１８、１９：釣針、２０：折り目、２２：挿通孔、２４：紐状片、２４ａ：ビーズ、２５：円錐台部、２５ａ：テープ片、２６：直線部、２７：テーパー孔部、２８：段、３０：中孔、３１、３２：円周溝
【図１】
2014217289.tif 000003
【図２】
2014217289.tif 000004
【図３】
2014217289.tif 000005
【図４】
2014217289.tif 000006
【図５】
2014217289.tif 000007